(57)【要約】【課題】開口部１４の内径や可燃性長尺体１０の集合外径の変化、可燃性長尺体の偏心などに柔軟に対応できるようにする。可燃性長尺体１０に熱伸縮が発生しても防火材が移動しにくいようにする。【解決手段】弾性を有する帯状体２４とセラミックウール２６を積層したものを偏平袋２８に入れ、偏平袋２８の内面側に、防火材を入れるポケット３０を作り付けた防火材保持具２２を使用する。開口部１４内に支持金具３４を設置し、支持金具３４上に前記防火材保持具２２を、ポケット３０を内側にして筒状に丸めて設置する。防火材保持具２２のポケット３０に耐熱シール材等からなる防火材を詰める。【選択図】　図５
2004068317.tif 000002
【特許請求の範囲】
【請求項１】
可燃性長尺体が貫通する床又は壁の開口部内に防火材を保持する部材であって、前記開口部に筒状に丸めて挿入したあと解放すると弾性反発力で開口部内周面に接する状態になる程度の弾性を有する帯状体を備え、この帯状体の、前記開口部に丸めて挿入するときの内面側に、柔軟性のある布又はシートで防火材を入れるポケットを作り付けたことを特徴とする可燃性長尺体貫通部の防火材保持具。
【請求項２】
請求項１記載の防火材保持具であって、前記ポケットが周方向に複数に区分されていることを特徴とする可燃性長尺体貫通部の防火材保持具。
【請求項３】
請求項１又は２記載の防火材保持具であって、前記帯状体は、その外面側に積層されたセラミックウールと共に、柔軟性のある布又はシートで作られた偏平袋内に収納されており、前記ポケットはこの偏平袋に作り付けられていることを特徴とする可燃性長尺体貫通部の防火材保持具。
【請求項４】
可燃性長尺体が貫通する床又は壁の開口部内に支持金具を設置し、この支持金具上に、請求項１ないし３のいずれかに記載の防火材保持具を、ポケットを内側にして筒状に丸めて設置し、この防火材保持具のポケットに防火材を詰めたことを特徴とする可燃性長尺体貫通部の防火処理構造。
【請求項５】
可燃性長尺体が貫通する床又は壁の開口部内に支持金具を設置し、この支持金具上に、袋に防火材を入れてなるブロックを複数個、周方向に隣接させて設置したことを特徴とする可燃性長尺体貫通部の防火処理構造。
【発明の詳細な説明】
【０００１】
【発明の属する技術分野】本発明は、ケーブルやプラスチックパイプ等の可燃性長尺体が建築物の床や壁の開口部を貫通する箇所に、防火処理を施すために用いる防火材保持具と、防火処理構造に関するものである。
【０００２】
【従来の技術】ケーブルやプラスチックパイプが建築物の防火区画体（床や壁）を貫通する箇所については、火災時のケーブルやパイプを媒体とした延焼を防ぐため、貫通部に防火処理を施す必要がある（建築基準法施行令第１１２条及び第１２９条）。
【０００３】従来の防火処理方法の比較的簡便な例を図１０（Ａ）〜（Ｅ）に示す。この方法は、まず（Ａ）に示すように、ケーブル１０（又はパイプ）が貫通する床１２の開口部１４内に、鋼線等で作製された支持金具１６を設置する。次に（Ｂ）のように支持金具１６上に底板１８を設置した後、（Ｃ）のように開口部１４内に防火パテのような耐熱シール材２０（防火材の一種）を充填する。さらに（Ｄ）のように耐熱シール材２０を盛り上げると、（Ｅ）に示すような防火処理構造が得られる（株式会社古河テクノマテリアル製のニジカン−マル）。
【０００４】
【発明が解決しようとする課題】しかし上記のような防火処理構造では、耐熱シール材２０が抜け落ちないようにするために、底板１８が必要である。この底板は、開口部の内径が規定値より小さい場合や、ケーブル集合外径が想定値より大きい場合、あるいは開口部内にケーブルが偏心して配置されている場合には、現状に合うように切断しなければならず、この作業がきわめて面倒である。また防火材がケーブルやパイプに密着する構造であるため、ケーブルやパイプに熱伸縮が発生すると、底板上の防火材がずれて、防火性能が低下するおそれがある。
【０００５】本発明の目的は、底板を必要とせず、開口部の内径やケーブル等の集合外径の変化、ケーブル等の偏心などにも柔軟に対応でき、しかもケーブルやパイプに熱伸縮が発生しても防火材が移動しにくい、防火材保持具及び防火処理構造を提供することにある。
【０００６】
【課題を解決するための手段】本発明に係る可燃性長尺体貫通部の防火材保持具は、可燃性長尺体が貫通する床又は壁の開口部内に防火材を保持する部材であって、前記開口部に筒状に丸めて挿入したあと解放すると弾性反発力で開口部内周面に接する状態になる程度の弾性を有する帯状体を備え、この帯状体の、前記開口部に丸めて挿入するときの内面側に、柔軟性のある布又はシートで防火材を入れるポケットを作り付けたことを特徴とするものである。
【０００７】また、この防火材保持具を用いた本発明の防火処理構造は、可燃性長尺体が貫通する床又は壁の開口部内に支持金具を設置し、この支持金具上に、前記防火材保持具を、ポケットを内側にして筒状に丸めて設置し、この防火材保持具のポケットに防火材を詰めたことを特徴とするものである。
【０００８】本発明に係る防火材保持具は、前記ポケットが周方向に複数に区分されているものであることが好ましい。
【０００９】また本発明に係る防火材保持具は、前記帯状体が、その外面側に積層されたセラミックウールと共に、柔軟性のある布又はシートで作られた偏平袋内に収納されており、前記ポケットがこの偏平袋に作り付けられている構成とすることが好ましい。
【００１０】また本発明に係る可燃性長尺体貫通部の防火処理構造は、可燃性長尺体が貫通する床又は壁の開口部内に支持金具を設置し、この支持金具上に、袋に防火材を入れてなるブロックを複数個、周方向に隣接させて設置したものであってもよい。
【００１１】
【発明の実施の形態】以下、本発明の実施の形態を、図面を参照して詳細に説明する。
【００１２】図１（Ａ）、（Ｂ）は本発明に係る防火材保持具の一実施形態を示す。この防火材保持具２２は、ばね弾性を有する帯状体２４と、この帯状体２４の片面に積層されたセラミックウール２６とを備えている。帯状体２４は、ケーブル等が貫通する床又は壁の開口部に筒状に丸めて挿入したあと解放すると弾性反発力で開口部内周面に張り付く程度の弾性を有している。帯状体２４としては、ばね弾性のある熱膨張性耐火材シート（株式会社古河テクノマテリアル製のダンシールＪなど）を用いることが好ましいが、金属板などを使用することも可能である。
【００１３】帯状体２４とセラミックウール２６は、柔軟性のある布又はシートで作られた封筒のような偏平袋２８内に収納されている。偏平袋２８の素材としては不織布を使用することが好ましい。
【００１４】偏平袋２８の帯状体２４側の面には、柔軟性のある布又はシートを用いて後述する防火材を入れるポケット３０が作り付けられている。ポケット３０の素材としては偏平袋２８と同じく不織布を使用することが好ましい。ポケット３０は帯状体２４の長手方向に複数に区分して設けられている。各ポケット３０の偏平袋２８と反対側の縁には蓋部３２が連続して設けられている。
【００１５】図２は、図１の防火材保持具２２を床又は壁の開口部内に設置するのに用いる支持金具３４を示す。この支持金具３４は、鋼線等の針金を折り曲げて、六角形の底枠部３６と、一対の立上がり部３８と、一対の引っ掛け部４０を形成したものである。
【００１６】図３（Ａ）、（Ｂ）は、図１の防火材保持具２２のポケット３０に詰め込まれる防火材を示す。（Ａ）の防火材４２は短冊状の耐熱シール材４４のみからなるものであり、（Ｂ）の防火材４２は短冊状の耐熱シール材４４とセラミックウール４６を積層したものに、不織布等からなるカバー４８を被せたものである。
【００１７】次に、図１ないし図３に示した部材を使用して、可燃性長尺体貫通部の防火処理を行なう手順を、図４ないし図７を参照して説明する。まず図４に示すように、ケーブル１０（又はパイプ）が貫通する床１２の開口部１４内に、図２の支持金具３４を設置する。
【００１８】次に図５に示すように、図１の防火材保持具２２を、ポケット３０が内側になるように筒状に丸めて、開口部１４内に挿入し、支持金具３４の底枠３６上に設置する。防火材保持具２２は、弾性帯状体２４を内蔵しているため、開口部１４内に挿入して解放すると、帯状体２４の弾性反発力により外面側が開口部１４の内周面に密接するようになる。帯状体２４の外面側にセラミックウール２６を積層しておくと、開口部１４の内周面に凹凸（支持金具３４の立上がり部３８を含む）があっても、セラミックウール２６がその凹凸に順応して、開口部１４の内周面との間に隙間ができにくくなる。なおセラミックウール２６は必要に応じて設ければよく、省略することも可能である。帯状体２４の長さは開口部１４の内周面の周長と同じかそれより若干短く設定されている。ポケット３０は柔軟性があるので、適当に変形してケーブル１０のまわりを囲むようになる。ポケットの蓋部３２はしわしわになるが、ケーブル１０に沿って立ち上がらせておく。
【００１９】防火材保持具２２の機械的強度を担うメンバーは帯状体２４であるので、帯状体２４が支持金具３４に支持されていれば、防火材保持具２２が脱落することはない。したがって従来使用していた底板（図１０の符号１８）を省略することができる。また支持金具３４の底枠３６は、従来のような菱形にすることも可能であるが、六角形にすると、底板がないことと相まって、ケーブル１０の開口部１４内での偏心に対する許容範囲が広くなり、施工が簡単になる。
【００２０】防火材保持具２２を開口部１４内に設置した後、防火材保持具２２のポケット３０に図３（Ａ）又は（Ｂ）に示した防火材４２を詰めると、図６のようになる。防火材４２は容易に変形可能であるので、ケーブル１０の外形などに合わせて出来るだけ隙間ができないように詰め込む。図３（Ｂ）の防火材４２のようにセラミックウール４６を使用するのは体積をかせぐためである。防火材保持具２２のポケット３０は周方向に複数に区分されているので、防火材４２を周方向にまんべんなく詰めることができる。
【００２１】最後に各ポケット３２の蓋部３２を図７のように防火材４２の上に被せる。蓋部３２の先端部は、偏平袋２８の外面と開口部１４の内周面の間に差し込んで、蓋部３２が容易に開かないようにしておく。以上で防火処理完了である。
【００２２】次に図８及び図９を参照して本発明の他の実施形態を説明する。この実施形態は弾性帯状体を使用しない場合である。この実施形態でも、図８に示すように、ケーブル１０が貫通する床１２の開口部１４内に図２のような支持金具３４を設置する。この点は前記実施形態と同じである。
【００２３】この実施形態が前記実施形態と異なるのは、不織布などからなる袋５０に図３（Ａ）又は（Ｂ）に示す防火材４２を詰めた複数のブロック５２を使用することである。各ブロック５２は、開口部１４の内周面とケーブル１０の外周面に接触する程度の厚さになるように現場の状況に応じて作製される。袋５０は、その中に詰められた防火材４２の上を覆う蓋部５４を備えている。このようなブロック５２を適当に変形させながら開口部１４内に挿入し、図９に示すように支持金具３４上に設置する。周方向に隣り合うブロック５２は互いに接触させて、開口部１４を塞ぐようにする。防火材４２は袋５０に収納されているため、従来のような底板を使用しなくても、脱落することはなく、施工がきわめて簡単である。
【００２４】
【発明の効果】以上説明したように本発明によれば、開口部内に防火材を保持するのに底板を必要としないので、開口部の内径やケーブル等の集合外径の変化、あるいは開口部内での可燃性長尺体の偏心などにも柔軟に対応でき、施工を効率よく行なうことができる。また防火材が可燃性長尺体に直接接触することはなく、可燃性長尺体に接触するのはポケットや袋を構成する布又はシートであるから、可燃性長尺体との滑り性がよい。このため可燃性長尺体に熱伸縮が発生しても、防火材が移動するおそれが少なく、良好な防火性能を維持することができる。
【図面の簡単な説明】
【図１】本発明に係る防火材保持具の一実施形態を示す、（Ａ）は斜視図、（Ｂ）は断面図。
【図２】本発明に用いる支持金具の好ましい例を示す斜視図。
【図３】（Ａ）、（Ｂ）はそれぞれ本発明に用いる防火材を示す斜視図。
【図４】本発明に係る防火処理構造の一実施形態を作る第一段階を示す、（Ａ）は平面図、（Ｂ）は断面図。
【図５】同じく第二段階を示す、（Ａ）は平面図、（Ｂ）は断面図。
【図６】同じく第三段階を示す、（Ａ）は平面図、（Ｂ）は断面図。
【図７】以上の段階を経て完成した防火処理構造を示す、（Ａ）は平面図、（Ｂ）は断面図。
【図８】本発明に係る防火処理構造の他の実施形態を作る第一段階を示す断面図。
【図９】図８の段階を経て完成した防火処理構造を示す断面図。
【図１０】（Ａ）〜（Ｅ）は従来の防火処理構造を作る過程を示す説明図。
【符号の説明】
１０：ケーブル
１２：床
１４：開口部
２２：防火材保持具
２４：弾性帯状体
２６：セラミックウール
２８：偏平袋
３０：ポケット
３２：蓋部
３４：支持金具
４２：防火材
４４：耐熱シール材
４６：セラミックウール
４８：カバー
５０：袋
５２：ブロック
【図１】
2004068317.tif 000003
【図２】
2004068317.tif 000004
【図３】
2004068317.tif 000005
【図４】
2004068317.tif 000006
【図５】
2004068317.tif 000007
【図６】
2004068317.tif 000008
【図７】
2004068317.tif 000009
【図８】
2004068317.tif 000010
【図９】
2004068317.tif 000011
【図１０】
2004068317.tif 000012